(57)【要約】      （修正有）【課題】バケツのような容器を携えていなくとも遊技をした現場で遊技後の玩具花火を水で確実に消火できる玩具花火セットを提供する。【解決手段】上下が閉じられた封筒状の収納袋１を有し、玩具花火４は収納袋内に封入される一方、収納袋はミシン目の切り取り部８が収納袋の下部寄りで周回して形成され、切り取り部を境界として上下方向に引っ張り力を付与することで２つに分離されるように構成され、分離された下方の袋片を遊戯後の火の残った花火を消すための水を入れる貯水容器とした。【選択図】図２
0003226962.tif 000002
【実用新案登録請求の範囲】
【請求項１】
上下が閉じられた封筒状の収納袋を有し、玩具花火は前記収納袋内に封入される一方、前記収納袋は他の部分よりも引っ張り強度の低い切り取り部が前記収納袋を周回して形成され、前記切り取り部を境界として上下方向に引っ張り力を付与することで２つに分離されるように構成され、分離された一方の袋片を遊戯後の火の残った花火を消すための水を入れる貯水容器とするようにしたことを特徴とする玩具花火セット。
【請求項２】
前記切り取り部は前記収納袋の上下寄りの少なくとも一方の側にずれた位置に形成されており、長さの短い側の前記袋片が前記貯水容器とされることを特徴とする請求項１に記載の玩具花火セット。
【請求項３】
長さの短い側の前記袋片の切り取る前の長さをＡとし、前記収納袋の幅をＢとした際に、ＡとＢの比であるＡ／Ｂは、０．５〜０．２の範囲であることを特徴とする請求項２に記載の玩具花火セット。
【請求項４】
前記切り取り部は前記収納袋の厚み方向に貫通された破線状の貫通孔の列によって構成されていることを特徴とする請求項１〜３のいずれかに記載の玩具花火セット。
【請求項５】
前記貯水容器とされる前記袋片は、下側に配置される面にマチを有し、前記マチによって底面が形成されることを特徴とする請求項１〜４のいずれかに記載の玩具花火セット。
【請求項６】
収納袋はプラスチック製であることを特徴とする請求項１〜５のいずれかに記載の玩具花火セット。
【請求項７】
前記玩具花火は台紙上に幅方向に展開させて固定された状態で前記収納袋内に収納されていることを特徴とする請求項１〜６のいずれかに記載の玩具花火セット。
【請求項８】
請求項１〜７のいずれかに記載の前記玩具花火セットにおける前記袋片は分離された開放端寄りが内側又は外側に折り曲げられて開放端側が補強されていることを特徴とする使用後の玩具花火の消火用貯水容器。
【考案の詳細な説明】
【技術分野】
【０００１】
本考案は、玩具花火をセット化した玩具花火セット及び玩具花火の消火用貯水容器に関するものである。
【背景技術】
【０００２】
一般に玩具花火は複数の玩具花火がセット化されて袋に入れられた状態で販売されている。このようなセット化された玩具花火の一例として特許文献１を示す。玩具花火で遊技をする際には、一般に遊技者らは火事等の不測の事故に備えて、例えば水の入ったバケツのような容器を用意し、花火を楽しんだ後に残り火でまだ熱い状態の玩具花火をバケツの水につけて消火するようにしている。もちろん遊技後の玩具花火を必ず水につけなければいけないわけではないが、公衆道徳上そのように始末することが望ましい。
【先行技術文献】
【特許文献】
【０００３】
【特許文献１】特開２００７−１７０７５５号公報
【考案の概要】
【考案が解決しようとする課題】
【０００４】
しかし、バケツのような嵩張る容器を常に携えて花火で遊ぶというのは面倒である。そのため、遊技後の玩具花火を水につけないで、例えば砂をかけたり、時間をかけて冷えるまで放置して消火するというような選択もあるが、できれば遊技後の玩具花火は水につけて確実に消火するほうが望ましい。そのため、バケツのような容器を常に携えていなくとも遊技をした現場で遊技後の玩具花火を水で確実に消火できる玩具花火セットが望まれていた。
【課題を解決するための手段】
【０００５】
上記の目的を達成するための第１の手段として、上下が閉じられた封筒状の収納袋を有し、玩具花火は前記収納袋内に封入される一方、前記収納袋は他の部分よりも引っ張り強度の低い切り取り部が前記収納袋を周回して形成され、前記切り取り部を境界として上下方向に引っ張り力を付与することで２つに分離されるように構成され、分離された一方の袋片を遊戯後の火の残った花火を消すための水を入れる貯水容器とするようにした。
これによって、収納袋を切り取り部を境界として上下方向に引っ張って破断させ、２つの袋片に分離することで、一方の袋片をバケツ代わりの貯水容器とすることができる。切り取り部は収納袋を周回しているため、切り取り部が破断されると２つに分離される。２つに分離された部分はそれぞれ開放端を有する有底の袋片となり、いずれを貯水容器として使用することもできる。花火を楽しむ際にバケツのような容器を携えていなくとも、貯水容器に水を入れて遊技する近傍に置いておくことで、遊技後の玩具花火を適宜水中に沈め消火をすることが可能となる。
「他の部分よりも引っ張り強度の低い切り取り部」は、収納袋を上下方向に引っ張った際に破断するように相対的に引っ張り強度が低く構成された領域であって、例えば、収納袋の表裏面を貫通するミシン目を入れたり、表裏面を貫通しない程度の切れ込み線を設けたり、他の部分に比べて切り取り部を薄く形成したりすることがよい。切り取り部は直線状に形成されることがよいが、必ずしも直線状でなくともよく、また切り取り部は上下方向に一定の幅があっても構わない。
「玩具花火」は、一般に、大きく分けて手で柄の部分を持って遊ぶ手持ち花火と、地面に置いて火を付ける地面設置型花火とに分けられる。また特殊な花火として糸で吊り下げて火を付ける吊り下げ花火を玩具花火に含める場合もある。
【０００６】
第２の手段では、切り取り部は前記収納袋の上下寄りの少なくとも一方の側にずれた位置に形成されており、長さの短い側の前記袋片が前記貯水容器とされるようにした。
これは、長さが短い側の袋片の方が貯水容器として使いやすいからである。具体的には貯水容器として使用する側の袋片の長さを短くする（つまり丈を短くする）ことで、斜め方向からの玩具花火の水面へのアクセスがしやすくなり、水が少なくても火の残った花火の多くの領域を水中に沈めやすくなる。また、風の抵抗を受けにくくなり特に注水した水の量が少なくとも倒れにくくなる。
第３の手段では、長さの短い側の前記袋片の切り取る前の長さをＡとし、前記収納袋の幅をＢとした際に、ＡとＢの比であるＡ／Ｂは、０．５〜０．２の範囲であるようにした。
これは第２の手段における貯水容器として使用する側の袋片の上記効果を発揮させるに最適な長さ（丈）を具体的にしたものである。
例えば、収納袋の幅を一例として３０ｃｍとしたならば、長さの短い側の前記袋片の切り取る前の長さは１５ｃｍ〜６ｃｍの範囲となる場合である。特に好適なＡとＢの比は０．４２〜０．４０程度である。
【０００７】
第４の手段では、前記切り取り部は前記収納袋の厚み方向に貫通された破線状の貫通孔の列によって構成されているようにした。
これは切り取り部をミシン目とした際の好適な形状を具体的にしたものである。このようなミシン目とすると、収納袋を上下方向に引っ張った際に裂けやすく切り取り部に沿ってきれいに分離させることができる。列は一列でもよいが複数列でもよい。引っ張り力に応じて破線の粗さを変更することができる。
第５の手段では、前記貯水容器とされる前記袋片は、下側に配置される面にマチを有し、前記マチによって底面が形成されるようにした。
収納袋にこのようなマチを設けることで袋片とした際の開口部を大きく開いた際に底面も拡がることとなり、貯水容器として安定性がよくなり、水もたくさん入れられるようになる。
第６の手段では、収納袋はプラスチック製であるようにした。
プラスチック製は水を入れても濡れて破れてしまうことがないため、貯水容器の素材として好適である。但し、プラスチック製でなくとも目の詰まった不織紙やコーティングされた紙等でもみずが漏れなければ収納袋として使用可能である。
第７の手段では、前記玩具花火は台紙上に幅方向に展開させて固定された状態で前記収納袋内に収納されているようにした。
つまり、玩具花火をばらけさせずに収納袋に収納することができる。これによって切り取り部で２つに分離しても玩具花火が収納袋からてんでに落下してしまうことがなく、玩具花火の取り扱いがしやすくなる。
【０００８】
第８の手段では、第１の手段〜第７の手段のいずれかに記載の玩具花火セットにおける玩具花火の消火用貯水容器を、袋片の分離された開放端寄りが内側又は外側に折り曲げられて開放端側が補強されているようにした。
これによって薄手に構成される収納袋の形状の、特に上部側（開放端側）が補強されることとなり、水を入れた際の水の圧力で消火用貯水容器が変形したり、撓んで水がこぼれてしまう等の不具合が防止あるいは軽減される。
本考案は上述した実施の形態に記載の構成に限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または特許出願への変更等において権利取得する意思を有する。
本願考案は以下の実施の形態に記載の構成に限定されない。各実施の形態や実施例の構成要素は任意に選択して組み合わせて構成するとよい。また各実施の形態や変形例の任意の構成要素と、考明を解決するための手段に記載の任意の構成要素または考を解決するための手段に記載の任意の構成要素を具体化した構成要素とは任意に組み合わせて構成するとよい。これらについても本願の補正または分割出願等において権利取得する意思を有する。
【考案の効果】
【０００９】
本考案によれば、花火を楽しむ際にバケツのような容器を携えていなくとも、収納袋を切り取り部を境界として上下方向に引っ張って２つの袋片に分離することで、一方の袋片をバケツ代わりの貯水容器とすることができ、その貯水容器に水を入れて遊技後の玩具花火の消火をすることが可能となる。
【図面の簡単な説明】
【００１０】
【図１】本考案の実施の形態の玩具花火セットの正面図。
【図２】同じ玩具花火セットの収納袋の切り取り線で切り取り途中の状態を説明する説明図。
【図３】同じ玩具花火セットの収納袋の貯水容器となる袋片を切り取り線で切り取った状態を説明する説明図。。
【図４】（ａ）及び（ｂ）はマチを構成する小フィルム体と２枚のフィルム体との溶着状態を説明する説明図。
【図５】図３のＡ−Ａ線において、（ａ）はマチを開いていない状態、（ｂ）は（ａ）の状態から開放端を外側に折り返した状態、（ｃ）は（ｂ）の状態からマチを開いた状態のそれぞれ端面図。
【図６】図５（ｃ）の状態の貯水容器の斜視図。
【考案を実施するための最良の形態】
【００１１】
以下、本考案の玩具花火セットを具体化した実施の形態を図面に基づいて説明する。
図１に示すように、本実施の形態の玩具花火セットはプラスチック製の封筒型の収納袋１を有している。本実施の形態において収納袋１は一例として縦４８ｃｍ、横２９ｃｍのサイズの２枚の可撓性のあるフィルム体２の縁を熱溶着させて構成したプラスチック製（本実施の形態ではポリプロピレン製）の袋体である。収納袋１は底部にマチを構成する小フィルム体３が２枚のフィルム体２の下部位置に折り返し状に畳んで配置されている。
図４（ａ）及び（ｂ）に示すように、畳んだ状態の小フィルム体３は前後２枚のフィルム体２の下端寄りにおいて幅方向に沿って下縁部分がそれぞれフィルム体２に熱溶着されている。この溶着位置をＰ１で示す。また図４（ｂ）に示すように、フィルム体２の左右寄り位置においては小フィルム体３の左右端縁がフィルム体２の上下方向に沿って熱溶着されている。この溶着位置をＰ２で示す。更に、フィルム体２の左右の下部角位置において小フィルム体３の左右の下部角位置は２枚のフィルム体２に挟まれた状態で熱溶着されている。この溶着位置をＰ３で示す。小フィルム体３によって収納袋１下部に最大マチ幅１２ｃｍほどの拡幅された領域が構成される。
収納袋１内には複数種類の多数の手持ち花火４が封入状態で収納されている。手持ち花火４は同種毎に複数束ねられたり小袋に収容されたりした状態で図示しない着火部側が上側となるよう台紙５上にテープで固定され、台紙５とともに収納されている。
収納袋１は前面中央領域が透明な窓部６とされており、窓部６から内部の手持ち花火４が目視可能とされている。収納袋１前面において窓部６の周囲領域は文字や模様が配置された装飾部７とされている。尚、本実施の形態では「花火セット」の文字のみを示すが実際には収納袋１の表面には様々な注意書き等の文字や装飾用の模様等が付されている。
【００１２】
収納袋１の下部寄りには収納袋１の表裏を横断して周回する切り取り部としての切り取り線８が形成されている。切り取り線８は収納袋１の厚さ方向に貫通された一列で構成された貫通孔の破線列として収納袋１の上下端縁と平行となるように直線状に形成されている。本実施の形態では収納袋１の下端から切り取り線８までは１２ｃｍとされている。
【００１３】
次にこのような玩具花火セットの使用方法について説明する。
この玩具花火セットで遊技をしようとする者は、切り取り線８に沿って収納袋１を破断するために切り取り線８を挟んで収納袋１を上下に引っ張る。このとき、破断しやすいように収納袋１のいずれか左右方向の一方の端のみに加重するようにする。図２に示すように、引っ張り力によって切り取り線８の破線列が降伏されて引きちぎれることで端から順に切り取り線８に沿って破断されていく。図３に示すように、収納袋１が上下に分離された状態で下側の袋片を貯水容器１０として使用する。台紙５に固定された手持ち花火４も台紙５とともに破断部分から取り出される。
【００１４】
新ためて貯水容器１０の構成について説明する。図３〜図６に示すように、貯水容器１０は収納袋１の表裏を構成しているフィルム体２の切り取り線８よりも下側の丈が短い側の袋片から構成されている。貯水容器１０は２枚のフィルム体２の一部からなる壁部１１と舟形の底部１２とから構成されている。底部１２は小フィルム体３を拡げることで形成される。
このような貯水容器１０を使用する際には、まず図５（ａ）に示す底部１２がまだ概ね畳まれている状態で、図５（ｂ）のように上方の開放端全縁を外方に折り曲げて折り曲げ部１３を形成するようにする。そして、その状態、あるいは折り曲げ部１３を形成しながら図５（ｃ）のようにマチである小フィルム体３を拡げて底部１２を形成して使用可能状態とする。底部１２を拡げることによって底部１２もそれに追随して図６のように開口部側も大きく開口させることができる。
このような内部に注水できるような空間を形成した状態で、例えばペットボトルに携帯した水を注水し、花火の遊技における遊技後の玩具花火の消火に備えるようにする。
【００１５】
このように構成された実施の形態の玩具花火セット及び貯水容器１０では次のような効果が奏される。
（１）この玩具花火セットでは花火を楽しむ際にバケツのような容器を携えていなくとも、収納袋１を切り取り線８に沿って切り取って袋片をバケツ代わりの貯水容器１０とすることができ、貯水容器１０に水を入れて遊技後の玩具花火の消火をすることができることとなる。
（２）収納袋１は単なるフィルムであって二次元的な形状であるが、貯水容器１０はマチがあってこれが底部１２となって立体的な形状にすることができ内部容量も増えるため、花火消火用の水を十分入れられる。
（３）貯水容器１０は大きく開口部が開くため、使用後の花火が入れやすくなっている。（４）幅方向の長さに対して高さがそれほどではないため、使用後の花火を斜め方向から水中に入れやすくなっている。そのため、貯水容器１０内の水量がそれほど多くなくとも花火の多くの部分を水に漬けることができる。また、このような形状であるため安定性がよく風が吹いたりしても倒れにくい。
（５）貯水容器１０上方の開放端を外方に折り曲げて折り曲げ部１３を形成しているため、開放端側（開口部側）の強度が高くなり、開口部の形状が開いた状態で安定し、また、注水しても貯水容器１０が変形しにくい。
【００１６】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・貯水容器１０の切り取り線８の位置や形状は上記は一例であり変更して実施することは自由である。
・収納袋１の大きさや素材等は変更可能である。また、上記の貯水容器１０の大きさは経験的に最適な縦横サイズ及びマチサイズを提案したものであるが、他のサイズで構成するようにしてもよい。
・切り取り線８は上記のような貫通孔の破線列以外でもよい。
・マチの形状や大きさは適宜変更可能である。また、マチがなくとも袋片を貯水容器とすることは可能である。
・折り曲げ部１３を形成しなくともよい。また、例えば折り曲げ部１３の代わりに補強テープ等を貼ることで開放端の補強をすることも可能である。また、収納袋１の素材を変えること（例えばより厚く硬い素材）で折り曲げ部１３を不要とすることもできる。
・その他、本考案の趣旨を逸脱しない態様で実施することは自由である。
【符号の説明】
【００１７】
１…収納袋、４…玩具花火としての手持ち花火、８…切り取り部としての切り取り線、１０８…貯水容器。
【図１】
0003226962.tif 000003
【図２】
0003226962.tif 000004
【図３】
0003226962.tif 000005
【図４】
0003226962.tif 000006
【図５】
0003226962.tif 000007
【図６】
0003226962.tif 000008